(57)【要約】  【課題】  高周波信号に対して変調度の大きな位相変調を行うことができる位相変調装置、この位相変調装置を備えた信号変換装置、およびこの信号変換装置を備えた光伝送装置を提供する。  【解決手段】  入力する高周波信号をそれぞれ増幅し、互いに同位相で、かつ逆電圧もしくは逆電流の信号を出力する第１増幅器１３および第２増幅器１４と、外部から導光した光の位相を第１増幅器１３および第２増幅器１４の出力に応じて変化させる位相変調器１５とを備える。【選択図】  図１
2006166204.tif 000002
【特許請求の範囲】
【請求項１】
入力する高周波信号をそれぞれ増幅し、互いに同位相で、かつ逆電圧もしくは逆電流の信号を出力する第１増幅器および第２増幅器と、
外部から導光した光の位相を前記第１増幅器および第２増幅器の出力に応じて変化させる位相変調器と、
を備える位相変調装置。
【請求項２】
周波数多重装置からの周波数多重信号を分配する分配器と、
前記分配器から分配される前記周波数多重信号をそれぞれ増幅し、互いに同位相で、かつ逆電圧もしくは逆電流の信号を出力する第１増幅器および第２増幅器と、
外部から導光した光を前記第１増幅器および第２増幅器の出力に応じて変化させる位相変調器と、
を備える位相変調装置。
【請求項３】
請求項１または２記載の位相変調装置であって、
前記位相変調器は、光学結晶内に設けられ、前記光信号を入力する光導波路と、前記光導波路を挟むように形成された第１電極および第２電極を有し、
前記第１増幅器および第２増幅器の出力は、それぞれ前記第１電極および第２電極に印加される位相変調装置。
【請求項４】
第１半導体レーザおよび第２半導体レーザと、
請求項１ないし３のいずれか１項記載の位相変調装置であって、前記第１半導体レーザの出力光が導光される位相変調器と、
前記位相変調器の出力光と前記第２半導体レーザの出力光を合波する光合波器と、
この光合波器で合波した光信号を電気信号に変換するＯ／Ｅ変換手段と、
を備える信号変換装置。
【請求項５】
半導体レーザと、この半導体レーザの光を分波する光分岐器と、
請求項１ないし３のいずれか１項記載の位相変調装置であって、前記光分岐器で分岐した一方の光が導光される第１位相変調器と、
請求項１ないし３のいずれか１項記載の位相変調装置であって、前記光分岐器で分岐した他方の光が導光される第２位相変調器と、
前記第１位相変調器の出力光と前記第２位相変調器の出力光とを合波する光合波器と、
この光合波器で合波した光信号を電気信号に変換するＯ／Ｅ変換手段と、
を備える信号変換装置。
【請求項６】
請求項４または５に記載の信号変換装置と、
この信号変換装置からの出力信号により光信号を変調する半導体レーザとからなる光送信器と、
この光送信器からの前記光信号を光増幅する光増幅器と、
前記光増幅器からの前記光信号を分岐する光分岐器と、
前記光分岐器からの前記光信号を伝送する光ファイバと、
前記光ファイバを伝送する前記光信号を受信する光受信器と、
を備える光伝送装置。
【発明の詳細な説明】
【技術分野】
【０００１】
本発明は、変調度の大きな位相変調を行うことができる位相変調装置、この位相変調装置を備えた信号変換装置、およびこの信号変換装置を備えた光伝送装置に関する。
【背景技術】
【０００２】
従来の位相変調器としては、例えば、特許文献１に記載のものが知られている。ここで、この位相変調器の構造および駆動方法について、図５および図６を参照しながら、以下に説明する。
図５に示す（第１の）位相変調器は、光学結晶１０１に形成した光導波路１０２を挟むように第１電極１０３と第２電極１０４を設け、駆動部１０５からの信号を第１電極１０３と第２電極１０４との間に印加するように構成している。この位相変調器は、第１、第２電極１０３、１０４間に電界をかけることにより、光導波路１０２の第１電極１０３と第２電極１０４に挟まれた部分に電気光学効果（屈折率変化）を生じさせ、光導波路１０２を伝搬する光の位相を変化（光位相変調）させるものである。
【０００３】
また、図６に示す（第２の）位相変調器は、光学結晶２０１に第１光導波路２０２および第２光導波路２０３を形成し、第１光導波路２０２および第２光導波路２０３のそれぞれの上部に第１電極２０４と第２電極２０５を設け、駆動部２０６からの信号を第１電極２０４と第２電極２０５との間に印加するように構成している。この位相変調器では、第１電極２０４と第２電極２０５の間に電界をかけることにより、第１電極２０４下部の第１光導波路２０２および第２電極２０５下部の第２光導波路２０３とに電気光学効果を生じさせ、第１光導波路２０２および第２光導波路２０３を伝搬する光の位相を互いに逆方向に変化させるものである。即ち、この位相変調器では、第１光導波路２０２および第２光導波路２０３を伝搬する光の位相を互いに逆方向に変化させることにより、相対的に大きな位相変化を得ようとするものである。
【特許文献１】特許第３５５０８２３号公報
【発明の開示】
【発明が解決しようとする課題】
【０００４】
しかしながら、図５に示した従来例において、位相変調器の位相変化量を大きくするには、第１電極１０３と第２電極１０４との間に印加する高周波信号の振幅を大きくする必要があるので、駆動部１０５には大出力の電気信号を出力する増幅部を備えることが必要となる。ところで、映像信号などの広帯域アナログ信号に対して位相変調またはＦＭ変調を行う場合、駆動部１０５には低歪特性と広帯域特性が要求される。ところが、このような位相変調器では、大出力と低歪とは相反するため、大出力と低歪の相反する特性を広帯域で実現する増幅部を備えた駆動部１０５を実現することは困難であり、しかもコストが嵩む。
【０００５】
また、図６に示す位相変調器は、前述したように、第１光導波路２０２および第２光導波路２０３を伝搬する光の位相を互いに逆方向に変化させることにより、相対的に大きな位相変化を得ようとするものであるが、２つの光導波路２０２、２０３を伝搬する光を結合するための光カプラが必要となる。そのため、位相変調器の構成および調整が複雑になるとともに、高コスト化する。また低歪化のためには、２つの光導波路の位相変化特性を対称にする必要があり、位相変調器の作製における歩留りも低下し、コストも嵩む。
【０００６】
本発明は、上記事情に鑑みてなされたもので、所望の信号に対して変調度の大きな位相変調を行うことができる位相変調装置、この位相変調装置を備えた信号変換装置、およびこの信号変換装置を備えた光伝送装置を提供することを目的とする。
【課題を解決するための手段】
【０００７】
本発明の位相変調装置は、入力する高周波信号をそれぞれ増幅し、互いに同位相で、かつ逆電圧もしくは逆電流の信号を出力する第１増幅器および第２増幅器と、外部から導光した光の位相を前記第１増幅器および第２増幅器の出力に応じて変化させる位相変調器と、を備えるものである。
【０００８】
本発明の位相変調装置は、周波数多重装置からの周波数多重信号を分配する分配器と、前記分配器から分配される前記周波数多重信号をそれぞれ増幅し、互いに同位相で、かつ逆電圧もしくは逆電流の信号を出力する第１増幅器および第２増幅器と、外部から導光した光の位相を前記第１増幅器および第２増幅器の出力に応じて変化させる位相変調器と、を備えるものである。
【０００９】
本発明の信号変換装置は、上記の位相変調装置であって、前記位相変調器は、光学結晶内に設けられ、前記光信号を入力する光導波路と、前記光導波路を挟むように形成された第１電極および第２電極を有し、前記第１増幅器および第２増幅器の出力は、それぞれ前記第１電極および第２電極に印加されるものである。
【００１０】
本発明の信号変換装置は、第１半導体レーザおよび第２半導体レーザと、上記のいずれかに記載の位相変調装置であって、前記第１半導体レーザの出力光が導光される位相変調器と、前記位相変調器の出力光と前記第２半導体レーザの出力光を合波する光合波器と、この光合波器で合波した光信号を電気信号に変換するＯ／Ｅ変換手段と、を備えるものである。
【００１１】
本発明の信号変換装置は、半導体レーザと、この半導体レーザの光を分波する光分岐器と、上記のいずれかに記載の位相変調装置であって、前記光分岐器で分岐した一方の光が導光される第１位相変調器と、上記のいずれかに記載の位相変調装置であって、前記光分岐器で分岐した他方の光が導光される第２位相変調器と、前記第１位相変調器の出力光と前記第２位相変調器の出力光とを合波する光合波器と、この光合波器で合波した光信号を電気信号に変換するＯ／Ｅ変換手段と、を備えるものである。
【００１２】
本発明の光伝送装置は、上記の信号変換装置と、この信号変換装置からの出力信号により光信号を変調する半導体レーザとからなる光送信器と、この光送信器からの前記光信号を光増幅する光増幅器と、前記光増幅器からの前記光信号を分岐する光分岐器と、前記光分岐器からの前記光信号を伝送する光ファイバと、前記光ファイバを伝送する前記光信号を受信する光受信器と、を備えるものである。
【発明の効果】
【００１３】
本発明によれば、入力する高周波信号をそれぞれ増幅し、互いに同位相で、かつ逆電圧もしくは逆電流の信号を出力する第１増幅器および第２増幅器と、外部から導光した光の位相を前記第１増幅器および第２増幅器の出力に応じて変化させる位相変調器とを備えるので、所望の変調信号に対して変調度の大きな位相変調を行うことができ、換言すれば大出力と低歪の相反する特性を広帯域で実現することができる位相変調装置、この位相変調装置を備えた信号変換装置、およびこの信号変換装置を備えた光伝送装置を提供できる。
【発明を実施するための最良の形態】
【００１４】
以下、本発明の実施形態について、添付図面を参照しながら詳細に説明する。
［第１の実施形態］
図１は、本発明の第１の実施形態に係る位相変調装置１０を示すものであり、この位相変調装置１０は、周波数多重装置１１と、分配器１２と、第１、第２増幅器１３、１４と、位相変調器１５とを備えている。なお、図中、符号１６Ａは入力側光ファイバ、１６Ｂは出力側光ファイバを示す。
【００１５】
周波数多重装置１１は、例えば映像信号等の周波数の異なる複数の電気信号αを周波数多重した電気信号（「周波数多重信号β」）を生成する。分配器１２は、周波数多重された周波数多重信号βを２つの信号、即ち、第１増幅器入力信号γと第２増幅器入力信号δとに分配する。
第１増幅器１３および第２増幅器１４は、ここにそれぞれ入力する第１増幅器入力信号γおよび第２増幅器入力信号δに対して、一方の出力が他方の出力と同位相で、かつ、逆電圧もしくは逆電流となるような状態で増幅し、位相変調器１５へ出力する。即ち、第１増幅器１３の出力を位相変調器１５の後述する第１電極１５１へ印加するため、第１増幅器１３の出力は第１電極１５１の入力に接続させてある。一方、第２増幅器１４の出力を位相変調器１５の後述する第２電極１５２へ印加するため、第１増幅器の出力は第１電極１２の入力に接続させてある。
位相変調器１５は、外部から導光する光信号を位相変調するようになっている。具体的には、光学結晶体１５Ａに形成した光導波路１５Ｂを両側から挟むように第１電極１５１と第２電極１５２を設けており、駆動部である第１、第２増幅器１３、１４からの信号（「第１増幅器入力信号γ」および「第２増幅器入力信号δ」）が第１、第２電極１５１、１５２の間に入力する。また、第１電極１５１と第２電極１５２との間には、位相変調器１５の入力インピーダンスが第１増幅器１３および第２増幅器１４の出力インピーダンスと整合するよう、インピーダンス整合抵抗１５３を接続している。従って、位相変調器１５は、第１、第２電極１５１、１５２間に電界をかけることにより、光導波路１５Ｂの第１電極１５１と第２電極１５２とに挟まれた部分に、電気光学効果（屈折率変化）を生じさせ、光導波路を伝搬する光の位相を変化（光位相変調）させる。
【００１６】
次に、本発明の位相変調装置１０における位相変調器１５の駆動方法について、図１を参照しながら説明する。
映像信号等の周波数の異なる複数の電気信号が周波数多重装置１１により周波数多重され、分配器１２により第１増幅器入力信号αと第２増幅器入力信号βとに分配される。
次に、第１増幅器１３および第２増幅器１４は、一方の増幅器の出力が他方の増幅器の出力と同位相で、かつ、逆電圧もしくは逆電流の状態で、それぞれ第１増幅器入力信号γおよび第２増幅器入力信号δを増幅し、第１増幅器１３の出力を位相変調器１５の第１電極１５１へ印加するとともに、第２増幅器１４の出力を位相変調器１５の第２電極１５２へ印加する。
【００１７】
上述のような駆動方法によれば、位相変調器１５の第１電極１５１と第２電極１５２との間への印加電圧は、第１増幅器１３および第２増幅器１４の出力の和になるため、位相変調器１５を駆動するそれぞれの増幅器１３、１４の出力は、増幅器を単独で用いた場合の１/２でよい。したがって、増幅器の増幅率をその分低く抑えることができ、歪特性および広帯域性を改善できるので、低歪で広帯域の位相変調器駆動が可能となる。さらに、位相変調器１５の駆動部の低コスト化が図れる。
【００１８】
［第２の実施形態］
次に、本発明に係る位相変調装置１０を備えた信号変換装置２０について、図２を参照しながら説明する。
図２に示す信号変換装置２０は、周波数多重された信号を広帯域ＦＭ信号に変換するＦＭ一括変換方式の信号変換装置を構成するものであり、第１、第２半導体レーザ２１、２２と、位相変調装置１０と、光合波器２３と、光検出器（「Ｏ／Ｅ変換手段」を構成する）２４とを備えている。なお、図中、符号２５Ａから２５Ｄは、光ファイバを示す。
【００１９】
このうち、第１半導体レーザ２１および第２半導体レーザ２２は、それぞれの光周波数の差が広帯域ＦＭ信号の中心周波数である１〜２０ＧＨｚとなるように光周波数を制御する。光合波器２３は、位相変調器で変調した第１半導体レーザ２１からのレーザ光と、第２半導体レーザ２２からの局部レーザ光とを合波するものであり、例えば光カプラなどを用いている。光検出器２４は、光合波器で合波した光を電気信号に変換するものであり、例えばＰＩＮフォトダイオード（ＰＤ）やＡＰＤフォトダイオードなどを用いている。なお、位相変調装置１０は、第１の実施形態と同様に構成されており、第１、第２増幅器１３、１４と、位相変調器１５とを備えている。このうち、位相変調器１５は、第１半導体レーザの光を変調する。第１、第２増幅器１３、１４は、一方の増幅器の出力が他方の出力と同位相で、かつ、逆電圧もしくは逆電流を位相変調器１５へ出力し、その位相変調器１５を駆動する。
【００２０】
次に、本実施形態に係る信号変換装置２０の作用について説明する。
第１半導体レーザ２１と局部レーザ光用の第２半導体レーザ２２から発振するレーザ光の光周波数について、それぞれの光周波数の差が、後述する広帯域ＦＭ信号の中心周波数である１〜２０ＧＨｚとなるように、第１半導体レーザ２１および第２半導体レーザ２２のそれぞれの駆動電流および温度を調整することにより、光周波数を制御する。
第１半導体レーザ２１からのレーザ光（搬送波；キャリア）は、位相変調器１５において、周波数多重された信号（「第１増幅器入力信号γ」および「第２増幅器入力信号δ」）により位相変調を受ける。ここで、周波数多重されているそれぞれの信号γ、δの帯域がキャリア周波数より十分低い場合、位相変調信号はＦＭ変調信号と等価とみなせる。
ここで、位相変調器１５を駆動する第１増幅器１３および第２増幅器１４は、一方の増幅器の出力が他方の増幅器の出力と同位相で、かつ、逆電圧もしくは逆電流として増幅する。このようにして、第１、第２増幅器１３、１４は、それぞれ、入力する第１増幅器入力信号γ、第２増幅器入力信号δを増幅し、位相変調器１５のそれぞれの電極（図示せず）へ出力する。
次に、位相変調器１５からの変調光と第２半導体レーザ２２からの局部レーザ光とが、光合波器２３を介して合波され、光検出器２４にて光ヘテロダイン検波されることにより、電気出力信号２５として広帯域ＦＭ信号が得られる。
【００２１】
このように、本実施形態の信号変換装置２０によれば、位相変調装置１０において、位相変調器１５の電極間の印加電圧が、第１増幅器１３および第２増幅器１４の出力の和になるため、位相変調器１５を駆動するそれぞれの増幅器（第１増幅器１３、第２増幅器１４）からの出力は、増幅器を単独で用いた場合の１/２でよい。したがって、本実施形態の信号変換装置２０によれば、増幅器の増幅率を低く抑えられることができるので、歪特性および広帯域性を改善することができ、低歪で広帯域の信号変換装置２０が可能となる。また信号変換装置２０の低コスト化が図れる。
【００２２】
［第３の実施形態］
次に、本発明に係る位相変調装置の駆動方法を用いたもう一つの（ＦＭ一括変換方式）の信号変換装置３０について、図３を参照しながら説明する。
図３に示す信号変換装置３０は、周波数多重された信号を広帯域ＦＭ信号に変換するＦＭ一括変換方式の信号変換装置を構成するものであり、この信号変換装置３０は、半導体レーザ３１と、光分波器３２と、一対の位相変調装置１０Ａ，１０Ｂと、光合波器３３と、光検出器（「Ｏ／Ｅ変換手段」）３４とを備えている。なお、図中、符号３５Ａから３５Ｆは、光ファイバを示す。
【００２３】
光分波器３２は、半導体レーザ３１からの光を、ＦＭ変調用の光と光ホモロダイン検波用の局部レーザ光とに分岐させる。位相変調装置１０Ａは、第２の実施形態で用いるものと同様の構成となっており、第１、第２増幅器１３Ａ，１４Ａと、位相変調器１５Ａとを備えている。一方、位相変調装置１０Ｂは、周波数シフト用第１第２増幅器１３Ａおよび周波数シフト用第２増幅器１４Ｂと、周波数シフト用位相変調器１５Ｂとを備えている。光合波器３３は、位相変調器１０Ａからの変調光と周波数シフト用位相変調器１０Ｂからの局部レーザ光とを合波する。光検出器２４は、光合波器３３で合波された光信号に対して光ホモロダイン検波する。
【００２４】
次に、本実施形態に係る信号変換装置３０の作用について説明する。
半導体レーザ３１からの光は、光分岐器３２でＦＭ変調用の光と、光ホモロダイン検波用の局部レーザ光とに分岐する。このうち、光分岐器３２で分岐したＦＭ変調用の光は、位相変調器１５Ａにおいて周波数多重された信号により位相変調を受け、周波数多重しているそれぞれの信号の帯域がキャリア周波数より十分低い場合、ＦＭ変調光となる。ここで位相変調器１５Ａを駆動する第１増幅器１３Ａおよび第２増幅器１４Ａは、一方の増幅器の出力が他方の増幅器の出力と同位相で、かつ、逆電圧もしくは逆電流である。即ち、第１増幅器１３Ａおよび第２増幅器１４Ａは、それぞれ第１増幅器入力信号γＡおよび第２増幅器入力信号γＢを増幅して、位相変調器１５Ａの図示しないそれぞれの電極へ印加する。
一方、光分岐器３２で分岐した局部レーザ光は、周波数シフト用位相変調器１５Ｂで位相変調を受け、周波数シフトした光周波数成分を持つ局部レーザ光となる。ここで、周波数シフト用位相変調器１５Ｂを駆動する周波数シフト用第１増幅器１３Ｂおよび周波数シフト用第２増幅器１４Ｂは、一方の増幅器の出力が他方の増幅器の出力と同位相で、かつ、逆電圧もしくは逆電流である。即ち、第１増幅器１３Ｂおよび第２増幅器１４Ｂは、それぞれ周波数シフト用第１増幅器入力信号γＢおよび周波数シフト用第２増幅器入力信号δＢを増幅してその出力を周波数シフト用位相変調器１５Ｂのそれぞれの電極へ印加する。なお、この周波数シフト用第１増幅器入力信号γＢおよび周波数シフト用第２増幅器入力信号δＢの周波数は、広帯域ＦＭ信号の中心周波数である１〜２０ＧＨｚである。
次に、位相変調器１５Ａからの変調光と、周波数シフト用位相変調器１５Ｂからの局部レーザ光とは、光合波器３３を介して合波され、光検出器３４にて光ホモロダイン検波することにより、電気出力信号として広帯域ＦＭ信号が得られる。
【００２５】
従って、本実施形態によれば、前述した構成により、位相変調器１５Ａの電極間の印加電圧は、第１増幅器１３Ａおよび第２増幅器１４Ａの出力の和になるため、位相変調器１５Ａを駆動するそれぞれの増幅器の出力は、増幅器を単独で用いた場合の１/２でよい。また、周波数シフト用位相変調器１５Ｂにおいても、同様の効果が得られる。その結果、増幅器の増幅率を低く抑えられるので、歪特性および広帯域性を改善することができ、低歪で広帯域の信号変換装置が可能となる。また信号変換装置の低コスト化も図れる。
【００２６】
［第４の実施形態］
次に、本発明に係る信号変換装置２０（或いは信号変換装置３０でもよい）を設けた光送信器を備える光伝送装置６０について、図４を参照しながら説明する。
本実施形態の光伝送装置６０は、大略構成として、光送信器４０と、光受信器５０と、この光送信器４０および光受信器５０とをつなぐ光ファイバ６１とを備えている。
【００２７】
光送信器４０は、前述の信号変換装置２０（或いは信号変換装置３０でもよい）と、この信号変換装置の電気出力信号により直接変調する半導体レーザとを備える。光ファイバ６１には、途中の複数個所に、光送信器４０からの光信号を光増幅する光増幅器６２Ａ，６２Ｂ，・・・と、この光増幅器６２Ａ，６２Ｂ，・・・からの光信号を分岐する光分岐器６３Ａ，６３Ｂ，・・・とを設置してある。
【００２８】
従って、本実施形態によれば、初めに、光送信器４０において、半導体レーザ４１からは信号変換装置２０の出力信号により直接変調された光信号を出力する。そして、この光送信器４２からの光信号は、光増幅器６２Ａ、光分岐器６３Ａ、さらに光増幅器６２Ｂ、光分岐器６３Ｂ、・・・のように、光増幅器と光分岐器とを多段に組み合わせて多分岐される。そして、この多分岐されたそれぞれ光信号は、光ファイバ６１を介して光受信器５０にて復調され、元の周波数多重された電気信号を得る。
従って、本実施形態に係る光伝送装置６０によれば、光送信器４０に信号変換装置２０を用いることにより、歪特性および広帯域性を改善した、低歪で広帯域の光伝送装置が実現可能となり、また光伝送装置の低コスト化が図れる。
【００２９】
なお、本発明は上述した実施形態に何ら限定されるものではなく、その要旨を逸脱しない範囲において種々の形態で実施し得るものである。
【産業上の利用可能性】
【００３０】
本発明の位相変調装置は、入力する高周波信号をそれぞれ増幅し、互いに同位相で、かつ逆電圧もしくは逆電流の信号を出力する第１増幅器および第２増幅器と、外部から導光した光の位相を前記第１増幅器および第２増幅器の出力に応じて変化させる位相変調器とを備えているので、所望の変調信号に対して変調度の大きな位相変調を行うことができる。換言すれば、大出力と低歪の相反する特性を有する位相変調装置を広帯域で実現できる効果を有し、延いては信号変換装置、および光伝送装置等を形成するのに有用である。
【図面の簡単な説明】
【００３１】
【図１】本発明に係る位相変調装置の構成を示すブロック図
【図２】本発明に係る信号変換装置の構成を示すブロック図
【図３】本発明に係る信号変換装置の変形例の構成を示すブロック図
【図４】本発明に係る光伝送装置の構成を示すブロック図
【図５】従来の位相変調器を示す概略斜視図
【図６】従来の位相変調器の他の例を示す概略斜視図
【符号の説明】
【００３２】
１０  位相変調装置
１０Ａ，１０Ｂ  位相変調装置
１１  周波数多重装置
１２  分配器
１３、１４  第１、第２増幅器
１５  位相変調器
１６Ａ  入力側光ファイバ
１６Ｂ  出力側光ファイバ
１５１  第１電極
１５２  第２電極
１５３  インピーダンス整合抵抗
２０  信号変換装置
２１、２２  第１、第２半導体レーザ
２３  光合波器
２４  光検出器（Ｏ／Ｅ変換手段）
２５Ａ〜２５Ｄ  光ファイバ
３０  信号変換装置
３１  半導体レーザ
３２  光分波器
３３  光合波器
３４  光検出器（Ｏ／Ｅ変換手段）
３５Ａ〜３５Ｆ  光ファイバ
４０  光送信器
５０  光受信器
６０  光伝送装置
６１  光ファイバ
６２Ａ，６２Ｂ，・・・  光増幅器
６３Ａ，６３Ｂ，・・・  光分岐器
α  映像信号等の周波数の異なる複数の電気信号
β  周波数多重信号
γ  第１増幅器入力信号
δ  第２増幅器入力信号
【図１】
2006166204.tif 000003
【図２】
2006166204.tif 000004
【図３】
2006166204.tif 000005
【図４】
2006166204.tif 000006
【図５】
2006166204.tif 000007
【図６】
2006166204.tif 000008